(57)【要約】【課題】  チケットの管理情報を大量に記録できるようにする。【解決手段】  一面側が情報を記録した感熱面、他面側が非感熱面であるチケットを供給する取出ローラと、この取出ローラにより取出されたチケットを搬送する搬送路と、この搬送路によって搬送されるチケットの感熱面に記録されたバーコードを読み取るバーコードリーダと、このバーコードリーダによってバーコードが読取られたチケットを集積させる集積部と、この集積部に集積された集積チケットＴに帯ｋを巻き付けて施封する施封機構６０と、この施封機構６０により結束された集積チケットＴの感熱面Ｔａに管理情報を加熱印字するサーマルヘッド２１とを具備する。【選択図】      図４
2005301991.tif 000002
【特許請求の範囲】
【請求項１】
一面側が情報を記録した感熱面、他面側が非感熱面である紙葉類を供給する供給手段と、
この供給手段により供給された紙葉類を搬送する搬送手段と、
この搬送手段によって搬送される紙葉類の感熱面に記録された情報を読み取る読取手段と、
この読取手段によって情報が読取られた紙葉類を集積させる集積手段と、
この集積手段に集積された集積紙葉類に結束材を巻き付けて結束する結束手段と、
この結束手段により結束された集積紙葉類の感熱面に管理情報を加熱記録する加熱記録手段と
を具備することを特徴とする紙葉類処理装置。
【請求項２】
前記結束手段は、前記集積紙葉類を挟圧保持するクランパを有し、
前記加熱記録手段は前記クランパに取付けられ、前記クランパの挟圧動作に基づいて前記集積紙葉類の感熱面に押し付けられることを特徴とする請求項１記載の紙葉類処理装置。
【請求項３】
一面側が情報を記録した感熱面、他面側が非感熱面である紙葉類を供給する供給手段と、
この供給手段により供給された紙葉類を搬送する搬送手段と、
この搬送手段によって搬送される紙葉類の感熱面に記録された情報を読み取る読取手段と、
この読取手段の読取情報に基づいて前記紙葉類の表裏、正逆を取り揃える取揃手段と、
この取揃手段により表裏、正逆が取り揃えられた紙葉類を集積させる集積手段と、
この集積手段に集積された集積紙葉類の外周部に結束材を巻き付けてその両端部を前記集積紙葉類の非感熱面側で重ね合わせる巻付手段と、
この巻付手段により巻き付けられ前記集積紙葉類の非感熱面側に位置する結束材の重合両端部にヒータヘッドを押し付けてヒートシールするヒートシール手段と、
を具備することを特徴とする紙葉類処理装置。
【請求項４】
一面側が情報を記録した感熱面、他面側が非感熱面である紙葉類を供給する供給手段と、
この供給手段により供給された紙葉類を搬送する搬送手段と、
この搬送手段によって搬送される紙葉類の感熱面に記録された情報を読み取る読取手段と、
この読取手段の読取情報に基づいて前記紙葉類の表裏、正逆を取り揃える取揃手段と、
この取揃手段により表裏、正逆が取り揃えられた紙葉類を集積させる集積手段と、
この集積手段に集積された集積紙葉類の外周部に結束材を巻き付けてその両端部を前記集積紙葉類の非感熱面側で重ね合わせる巻付手段と、
この巻付手段により巻き付けられ前記集積紙葉類の非感熱面側に位置する結束材の重合両端部にヒータヘッドを押し付けてヒートシールするヒートシール手段と、
前記集積紙葉類の感熱面に管理情報を加熱記録する加熱記録手段と
を具備することを特徴とする紙葉類処理装置。
【請求項５】
一面側が情報を記録した感熱面、他面側が非感熱面である紙葉類を供給する供給手段と、
この供給手段により供給された紙葉類を搬送する搬送手段と、
この搬送手段によって搬送される紙葉類の感熱面に記録された情報を読み取る読取手段と、
この読取手段の読取情報に基づいて前記紙葉類の表裏、正逆を取り揃える取揃手段と、
この取揃手段により表裏、正逆が取り揃えられた紙葉類を集積させる集積手段と、
この集積手段に集積された集積紙葉類の情報が記録されていない部分の外周部に結束材を巻き付けてその両端部を前記集積紙葉類の非感熱面側で重ね合わせる巻付手段と、
この巻付手段により巻き付けられ前記集積紙葉類の非感熱面側に位置する結束材の重合両端部にヒータヘッドを押し付けてヒートシールするヒートシール手段と、
を具備することを特徴とする紙葉類処理装置。
【請求項６】
一面側が情報を記録した感熱面、他面側が非感熱面である紙葉類を供給する供給手段と、
この供給手段により供給された紙葉類を搬送する搬送手段と、
この搬送手段によって搬送される紙葉類の感熱面に記録された情報を読み取る読取手段と、
この読取手段の読取情報に基づいて前記紙葉類の表裏、正逆を取り揃える取揃手段と、
この取揃手段により表裏、正逆が取り揃えられた紙葉類を集積させる集積手段と、
この集積手段に集積された集積紙葉類の外周部に結束材を巻き付けてその両端部を前記集積紙葉類の非感熱面側で重ね合わせる巻付手段と、
この巻付手段により巻き付けられ前記集積紙葉類の非感熱面側に位置する結束材の重合両端部にヒータヘッドを押し付けてヒートシールするヒートシール手段と、
前記ヒータヘッドの加熱温度を制御する制御手段と
を具備することを特徴とする紙葉類処理装置。
【請求項７】
一面側が情報を記録した感熱面、他面側が非感熱面である紙葉類を供給する供給手段と、
この供給手段により供給された紙葉類を搬送する搬送手段と、
この搬送手段によって搬送される紙葉類の感熱面に記録された情報を読み取る読取手段と、
この読取手段の読取情報に基づいて前記紙葉類の表裏、正逆を取り揃える取揃手段と、
この取揃手段により表裏、正逆が取り揃えられた紙葉類を集積させる集積手段と、
この集積手段に集積された集積紙葉類の外周部に結束材を巻き付けてその両端部を前記集積紙葉類の非感熱面側で重ね合わせる巻付手段と、
この巻付手段により巻き付けられ前記集積紙葉類の非感熱面側に位置する結束材の重合両端部にヒータヘッドを押し付けてヒートシールするヒートシール手段と、
前記ヒータヘッドの前記結束材の重合両端部に対する押付時間を制御する制御手段と
を具備することを特徴とする紙葉類処理装置。
【請求項８】
一面側に感熱面、他面側に非感熱面を有し、スロットマシン内で前記感熱面に情報が記録されて前記スロットマシンから排出される紙葉類を受け入れる受入手段と、
この受入手段に受け入れられた紙葉類を供給する供給手段と、
この供給手段により供給された紙葉類を搬送する搬送手段と、
この搬送手段によって搬送される紙葉類の感熱面に記録された情報を読み取る読取手段と、
この読取手段の読取情報に基づいて前記紙葉類の表裏、正逆を取り揃える取揃手段と、
この取揃手段により表裏、正逆が取り揃えられた紙葉類を集積させる集積手段と、
この集積手段に集積された紙葉類を結束位置に移送する移送手段と、
この移送手段により前記結束位置に移送された集積紙葉類の情報が記録されていない部分の外周部に結束材を巻き付けてその両端部を前記集積紙葉類の非感熱面側で重ね合わせる巻付手段と、
この巻付手段により巻き付けられ前記集積紙葉類の非感熱面側に位置する結束材の重合両端部にヒータヘッドを押し付けてヒートシールするヒートシール手段と、
前記結束位置に移送された集積紙葉類の感熱面に管理情報を加熱記録する加熱記録手段と、
前記ヒータヘッドの前記結束材の重合両端部に対する加熱温度、及び押付時間を制御する制御手段と
を具備することを特徴とする紙葉類処理装置。
【請求項９】
一面側が情報を記録した感熱面、他面側が非感熱面である紙葉類を供給する供給工程と、
この供給工程により供給された紙葉類を搬送する搬送工程と、
この搬送工程によって搬送される紙葉類の感熱面に記録された情報を読み取る読取工程と、
この読取工程の読取情報に基づいて前記紙葉類の表裏、正逆を取り揃える取揃工程と、
この取揃工程により表裏、正逆が取り揃えられた紙葉類を集積させる集積工程と、
この集積工程により集積された集積紙葉類の情報が記録されていない部分の外周部に結束材を巻き付けてその両端部を前記集積紙葉類の非感熱面側で重ね合わせる巻付工程と、
この巻付工程により巻き付けられ前記集積紙葉類の非感熱面側に位置する結束材の重合両端部にヒータヘッドを押し付けてヒートシールするヒートシール工程と、
を具備することを特徴とする紙葉類処理方法。
【発明の詳細な説明】
【技術分野】
【０００１】
本発明は、例えば、米国のカジノのスロットマシンで使用されるチケットを処理する紙葉類処理装置及び紙葉類処理方法に関する。
【背景技術】
【０００２】
スロットマシンでは、払い出し現金の代替として用いられるチケットを発行するようになっている。この種のチケットはその片面側が感熱面となっており、この感熱面にサーマルヘッドによって情報としての１８桁の番号がバーコードと数字で印字記録されて発行される。
【０００３】
このチケットを現金化する場合や、再度、スロットマシンに登録する際には、チケットをスロットマシンに投入してその番号をスロットマシンのバーコードリーダで読み取り、ホストコンピュータに登録された金額を参照する仕組みとなっている。スロットマシンのチケット読取機は紙幣読取機と共通の場所に取り付けられているのが一般的であるため、使用済チケットは紙幣と混ざった状態でスロットマシン内の保管庫に保管される。
【０００４】
ところで、この保管庫に保管されたチケットは現金と共に取出されるが、この取出されたチケットを現金と分離して集積施封処理する処理装置が開発されている。
【０００５】
使用済のチケットは米国カジノの場合は数年間保管する義務があり、そのために紙幣と同様に１００枚づつ帯材により帯封して束にすることが行われている。また、各束に十分な情報を記載しておかないと後で探すのが容易でないため、帯材には管理情報が記載されるようになっている。
【０００６】
また、帯材はチケットに巻き付けられてその両端部が重ね合わされ、この重ね合わされた両端部にヒータヘッドが押し付けられることによりヒートシールされるようになっている（例えば、特許文献１を参照。）。
【特許文献１】特開２００２−８００１２号公報
【発明の開示】
【発明が解決しようとする課題】
【０００７】
しかしながら、従来においては、管理情報が記録される帯材は、幅が狭まく面積が限られているため、十分な量の管理情報を記録できないという問題があった。
【０００８】
また、従来においては、チケットの感熱面側で帯材の重合両端部にヒータヘッドを押し付けていたため、ヒートシール時にはヒータヘッドの熱によりチケットの感熱面側が加熱されてしまい黒く汚れてしまうという問題があった。
【０００９】
この発明は、上記事情に着目してなされたもので、十分な量の管理情報を記録できるとともに、結束材のヒートシール時にチケットの感熱面側を直接加熱しないようにした紙葉類処理装置を提供することを目的とする。
【課題を解決するための手段】
【００１０】
上記課題を解決するため、請求項１記載のものは、一面側が情報を記録した感熱面、他面側が非感熱面である紙葉類を供給する供給手段と、この供給手段により供給された紙葉類を搬送する搬送手段と、この搬送手段によって搬送される紙葉類の感熱面に記録された情報を読み取る読取手段と、この読取手段によって情報が読取られた紙葉類を集積させる集積手段と、この集積手段に集積された集積紙葉類に結束材を巻き付けて結束する結束手段と、この結束手段により結束された集積紙葉類の感熱面に管理情報を加熱記録する加熱記録手段とを具備することを特徴とする。
【００１１】
請求項３記載のものは、一面側が情報を記録した感熱面、他面側が非感熱面である紙葉類を供給する供給手段と、この供給手段により供給された紙葉類を搬送する搬送手段と、この搬送手段によって搬送される紙葉類の感熱面に記録された情報を読み取る読取手段と、この読取手段の読取情報に基づいて前記紙葉類の表裏、正逆を取り揃える取揃手段と、この取揃手段により表裏、正逆が取り揃えられた紙葉類を集積させる集積手段と、この集積手段に集積された集積紙葉類の外周部に結束材を巻き付けてその両端部を前記集積紙葉類の非感熱面側で重ね合わせる巻付手段と、この巻付手段により巻き付けられ前記集積紙葉類の非感熱面側に位置する結束材の重合両端部にヒータヘッドを押し付けてヒートシールするヒートシール手段とを具備することを特徴とする。
【００１２】
請求項４記載のものは、一面側が情報を記録した感熱面、他面側が非感熱面である紙葉類を供給する供給手段と、この供給手段により供給された紙葉類を搬送する搬送手段と、この搬送手段によって搬送される紙葉類の感熱面に記録された情報を読み取る読取手段と、この読取手段の読取情報に基づいて前記紙葉類の表裏、正逆を取り揃える取揃手段と、この取揃手段により表裏、正逆が取り揃えられた紙葉類を集積させる集積手段と、この集積手段に集積された集積紙葉類の外周部に結束材を巻き付けてその両端部を前記集積紙葉類の非感熱面側で重ね合わせる巻付手段と、この巻付手段により巻き付けられ前記集積紙葉類の非感熱面側に位置する結束材の重合両端部にヒータヘッドを押し付けてヒートシールするヒートシール手段と、前記集積紙葉類の感熱面に管理情報を加熱記録する加熱記録手段とを具備することを特徴とする。
【００１３】
請求項５記載のものは、一面側が情報を記録した感熱面、他面側が非感熱面である紙葉類を供給する供給手段と、この供給手段により供給された紙葉類を搬送する搬送手段と、この搬送手段によって搬送される紙葉類の感熱面に記録された情報を読み取る読取手段と、この読取手段の読取情報に基づいて前記紙葉類の表裏、正逆を取り揃える取揃手段と、この取揃手段により表裏、正逆が取り揃えられた紙葉類を集積させる集積手段と、この集積手段に集積された集積紙葉類の情報が記録されていない部分の外周部に結束材を巻き付けてその両端部を前記集積紙葉類の非感熱面側で重ね合わせる巻付手段と、この巻付手段により巻き付けられ前記集積紙葉類の非感熱面側に位置する結束材の重合両端部にヒータヘッドを押し付けてヒートシールするヒートシール手段とを具備することを特徴とする。
【００１４】
請求項６記載のものは、一面側が情報を記録した感熱面、他面側が非感熱面である紙葉類を供給する供給手段と、この供給手段により供給された紙葉類を搬送する搬送手段と、この搬送手段によって搬送される紙葉類の感熱面に記録された情報を読み取る読取手段と、この読取手段の読取情報に基づいて前記紙葉類の表裏、正逆を取り揃える取揃手段と、この取揃手段により表裏、正逆が取り揃えられた紙葉類を集積させる集積手段と、この集積手段に集積された集積紙葉類の外周部に結束材を巻き付けてその両端部を前記集積紙葉類の非感熱面側で重ね合わせる巻付手段と、この巻付手段により巻き付けられ前記集積紙葉類の非感熱面側に位置する結束材の重合両端部にヒータヘッドを押し付けてヒートシールするヒートシール手段と、前記ヒータヘッドの加熱温度を制御する制御手段とを具備することを特徴とする。
【００１５】
請求項７記載のものは、一面側が情報を記録した感熱面、他面側が非感熱面である紙葉類を供給する供給手段と、この供給手段により供給された紙葉類を搬送する搬送手段と、この搬送手段によって搬送される紙葉類の感熱面に記録された情報を読み取る読取手段と、この読取手段の読取情報に基づいて前記紙葉類の表裏、正逆を取り揃える取揃手段と、この取揃手段により表裏、正逆が取り揃えられた紙葉類を集積させる集積手段と、この集積手段に集積された集積紙葉類の外周部に結束材を巻き付けてその両端部を前記集積紙葉類の非感熱面側で重ね合わせる巻付手段と、この巻付手段により巻き付けられ前記集積紙葉類の非感熱面側に位置する結束材の重合両端部にヒータヘッドを押し付けてヒートシールするヒートシール手段と、前記ヒータヘッドの前記結束材の重合両端部に対する押付時間を制御する制御手段とを具備することを特徴とする。
【００１６】
請求項８記載のものは、一面側に感熱面、他面側に非感熱面を有し、スロットマシン内で前記感熱面に情報が記録されて前記スロットマシンから排出される紙葉類を受け入れる受入手段と、この受入手段に受け入れられた紙葉類を供給する供給手段と、この供給手段により供給された紙葉類を搬送する搬送手段と、この搬送手段によって搬送される紙葉類の感熱面に記録された情報を読み取る読取手段と、この読取手段の読取情報に基づいて前記紙葉類の表裏、正逆を取り揃える取揃手段と、この取揃手段により表裏、正逆が取り揃えられた紙葉類を集積させる集積手段と、この集積手段に集積された紙葉類を結束位置に移送する移送手段と、この移送手段により前記結束位置に移送された集積紙葉類の情報が記録されていない部分の外周部に結束材を巻き付けてその両端部を前記集積紙葉類の非感熱面側で重ね合わせる巻付手段と、この巻付手段により巻き付けられ前記集積紙葉類の非感熱面側に位置する結束材の重合両端部にヒータヘッドを押し付けてヒートシールするヒートシール手段と、前記結束位置に移送された集積紙葉類の感熱面に管理情報を加熱記録する加熱記録手段と、前記ヒータヘッドの前記結束材の重合両端部に対する加熱温度、及び押付時間を制御する制御手段とを具備することを特徴とする。
【００１７】
請求項９記載のものは、一面側が情報を記録した感熱面、他面側が非感熱面である紙葉類を供給する供給工程と、この供給工程により供給された紙葉類を搬送する搬送工程と、この搬送工程によって搬送される紙葉類の感熱面に記録された情報を読み取る読取工程と、この読取工程の読取情報に基づいて前記紙葉類の表裏、正逆を取り揃える取揃工程と、この取揃工程により表裏、正逆が取り揃えられた紙葉類を集積させる集積工程と、この集積工程により集積された集積紙葉類の情報が記録されていない部分の外周部に結束材を巻き付けてその両端部を前記集積紙葉類の非感熱面側で重ね合わせる巻付工程と、この巻付工程により巻き付けられ前記集積紙葉類の非感熱面側に位置する結束材の重合両端部にヒータヘッドを押し付けてヒートシールするヒートシール工程とを具備することを特徴とする。
【発明の効果】
【００１８】
本発明によれば、紙葉類の管理情報を大量に記録でき、また、結束材のヒートシール時に紙葉類の感熱面側を加熱により黒く汚してしまうことを極力防止する。
【発明を実施するための最良の形態】
【００１９】
以下、本発明を図面に示す実施の形態を参照して詳細に説明する。  
図１は本発明の一実施の形態に係る紙葉類処理装置１の内部構造を概略的に示すものである。
【００２０】
この紙葉類処理装置１は、スロットマシン等の遊技機で使用されたチケット及び複数金種の紙幣を混在した状態で一括して投入させ、チケットと紙幣を区分して集積し、チケットを所定枚数（例えば、１００枚）づつ施封するものである。
【００２１】
紙葉類処理装置１は筐体２を備え、この筐体２の一側部側には、複数枚の紙葉類としてのチケットＴと紙幣Ｐを立位状態で一括して投入させる受入手段としての投入部４が設けられている。投入部４はチケットＴと紙幣Ｐの下端面を当接させて整位するステージ４ａを有している。このステージ４ａの一側部には鉛直方向に立設されたバックアッププレート６がチケットＴと紙幣Ｐの積層方向に移動自在に設けられている。このバックアッププレート６はばね８の付勢力によってステージ４ａに沿って図中左方向に付勢されている。
【００２２】
ステージ４ａの他側部には互いに上下に隣接した状態で供給手段としての一対の取出ローラ１０が配置されている。投入部４に立位状態で投入された複数枚のチケットＴと紙幣Ｐは取出ローラ１０の回転により先端のものから順に搬送手段としての搬送路１２上に取り出される。
【００２３】
搬送路１２には、紙幣Ｐの金種、表裏、天地、汚れや破損の有無等の特徴を検出する検出部３０が配設されている。検出部３０は、搬送路１２に沿って搬送される紙幣Ｐの表面から各種情報を読み取り、この読み取った情報を論理演算して基準となる情報と比較して上述したような紙幣の特徴を検出するものである。
【００２４】
検出部３０の下流側に延設された搬送路１２上には、読取手段としてのバーコードリーダ１５が設けられている。このバーコードリーダ１５はチケットＴに記録された１８桁の番号を読み取るようになっている。１８桁の番号は図２に示すように情報としてのバーコード１６と数字１６ａとによって構成されている。チケットＴは、その一面側が感熱面Ｔａとなっており、他面側は非感熱面Ｔｂとなっている。バーコード１６及び数字１６ａはチケットＴがスロットマシンで発行される際にその感熱面Ｔａにサーマルヘッドなどにより印字されたものである。
【００２５】
バーコードリーダ１５のチケットＴ及び紙幣Ｐの搬送方向下流側には、検出部３０における検出結果に基づいてチケットＴ、及び紙幣Ｐの搬送方向を選択的に切換えるための複数のゲートＧ1〜Ｇ7が配設されている。
【００２６】
チケットＴは、バーコードリーダ１５においてそのバーコード１６が読み取られなかった場合には、ゲートＧ1を介して図中右方向に搬送され、リジェクト箱３２に排出される。
【００２７】
検出部３０において、２枚取りが判定された紙幣、所定のレベルを超えて大きくスキューしたことが判定された紙幣、或いは再流通可能な正券であると判定されなかった損券や偽券など、即ち、後段の処理が不可能であることが判定された紙幣は、ゲートＧ1を介して図中右方向に搬送され、リジェクト箱３２に排出される。リジェクト箱３２は、紙葉類処理装置１の筐体２の外部からアクセス可能となっている。
【００２８】
一方、バーコードリーダ１５において、バーコード１６が読み取られたチケットＴ、及び検出部３０にて処理可能な正常な紙幣であることが判定された紙幣Ｐは、ゲートＧ１を介してゲートＧ２に向けて図中左方向に搬送される。
【００２９】
ゲートＧ２に向かう紙幣Ｐは、上述したように表裏および天地がバラバラの状態となっている。このように表裏および天地がバラバラの状態の紙幣ＰはゲートＧ２の下流側の後述する各処理機構によって表裏および天地に関する向きが選択的に取り揃えられ、その金種毎に分類されて集積されることになる。
【００３０】
また、ゲートＧ２に向かうチケットＴは、ゲートＧ２の下流側の後述する各処理機構によって全て表裏が反転され、天地は選択的に取り揃えられて集積されるようになっている。
【００３１】
ゲートＧ２の下流側の搬送路は２方向に分岐されており、ゲートＧ２の切換えにより紙幣Ｐの搬送方向を２方向に選択的に切換え、チケットＴは一方向（後述する表裏反転機構３４の方向）にのみ案内される。
【００３２】
ゲートＧ２の下流側で分岐された一方の搬送路上には、紙幣Ｐの表裏を反転させるための取揃手段としての表裏反転機構３４が設けられている。この表裏反転機構３４を通る搬送路は、その入口から出口に向けて中心軸の回りで１８０°回動されたねじり搬送路を形成している。そして、このねじり搬送路に沿って互いに面接する関係で２組の搬送ベルト３３、３５が設けられている。また、ゲートＧ２の下流側で分岐された他方の搬送路は、ただ単に紙幣Ｐを通過させるだけの搬送パス３６となっている。
【００３３】
表裏反転機構３４を通過して表裏反転されたチケットＴ或いは紙幣Ｐ、さらに搬送パス３６を通過した紙幣Ｐは、いずれも合流部３８を介してゲートＧ３に送り込まれる。
【００３４】
ゲートＧ３の下流側の搬送路は２方向に分岐されており、ゲートＧ３を切換えることにより紙幣Ｐの搬送方向を２方向に選択的に切換えるようになっている。
【００３５】
ゲートＧ３の下流側で分岐された一方の搬送路上には、また、チケットＴ或いは紙幣Ｐの天地を逆転させるための取揃手段としての天地逆転機構４０が設けられている。天地逆転機構４０は、ゲートＧ３を介して送り込まれたチケットＴ或いは紙幣Ｐを一旦収容するスイッチバック部４２、スイッチバック部４２に搬入されたチケットＴ或いは紙幣Ｐをその後端側から逆方向に取出すためスイッチバック部４２に隣接して配置された反転ローラ４４、およびスイッチバック部４２に搬入されたチケットＴ或いは紙幣Ｐの後端を反転ローラ４４に押し付けてチケットＴ或いは紙幣Ｐに対する搬送力を生じる叩き車４６を有する。
【００３６】
ゲートＧ３を介して天地逆転機構４０へ送り込まれたチケットＴ或いは紙幣Ｐは、その搬送方向に沿った先端側を下にしてスイッチバック部４２内に一旦収容され、搬送方向に沿った後端が叩き車４６の回動によって反転ローラ４４に押し付けられる。これにより、反転ローラ４４の回動に伴って、スイッチバック部４２内に収容されたチケットＴ或いは紙幣Ｐがその後端側を先頭にして逆方向に取出される。この結果、チケットＴ或いは紙幣Ｐの搬送方向が逆転され、天地が逆転される。
【００３７】
また、ゲートＧ３の下流側で分岐された他方の搬送路は、ただ単に紙幣Ｐを通過させるだけの搬送パス４８を形成している。天地逆転機構４０を通過したチケットＴ或いは紙幣Ｐ、また、搬送パス４８を通過したチケットＴ或いは紙幣Ｐは、いずれも合流部４９を介してゲートＧ４に向けて搬送される。
【００３８】
天地逆転機構４０の下流側の搬送路は、複数の集積部の上方で略水平方向に延びた水平搬送路５０を形成している。水平搬送路５０上には、５つのゲートＧ４ａ〜Ｇ７が設けられている。
【００３９】
最も上流側にあるゲートＧ４ａ，４ｂによる分岐位置には、例えば１００枚のチケットＴを集積して結束材としての帯ｋで施封してチケットＴの束を形成する施封装置５２が設けられている。この施封装置５２については、後で詳しく説明する。この施封装置５２により所定枚数毎に施封されたチケットＴの束は、図示しないコンベアを介して装置外へ搬出される。
【００４０】
一方、水平搬送路５０に沿ってゲートＧ４ｂの下流側にある３つのゲートＧ５、Ｇ６、Ｇ７による分岐位置には、ゲートの数より１つ多い４つの集積部６１、６２、６３、６４が設けられている。ゲートＧ５によって選択的に振り分けられた紙幣Ｐは集積部６１に集積され、ゲートＧ６によって選択的に振り分けられた紙幣Ｐは集積部６２に集積され、ゲートＧ７によって選択的に振り分けられた紙幣Ｐは集積部６３、或いは６４に集積される。
【００４１】
図３は施封装置５２を示す構成図である。
【００４２】
この施封装置５２は、ゲートＧ４ａ，Ｇ４ｂを介して選択的に送り込まれたチケットＴを集積する集積手段としての第１及び第２の集積部５４，５５を有している。これら第１及び第２の集積部５４，５５に集積されるチケットＴは上記した表裏反転機構３４によって表裏が反転されたことにより、その感熱面Ｔａを上向きにし、非感熱面Ｔｂを下向きにして集積される。
【００４３】
これにより、集積チケットＴが後述するように施封位置Ｓに移送されたとき、その非感熱面Ｔｂ側がヒータヘッド２５に対向されるようになっている。
【００４４】
また、天地逆転機構４０により、チケットＴの天地が逆転されることにより、その感熱面Ｔａの数字情報１６ａが記録される一端部側が集積部５４，５５の奥側に位置し、有効情報が記録されない他端部側が集積部５４，５５の手前側に位置するように集積されるようになっている。
【００４５】
これにより、集積チケットＴが後述するように施封位置Ｓに移送されたとき、有効情報が記録されない他端部側がヒータヘッド２５に対向されるようになっている。
【００４６】
これら第１及び第２の集積部５４，５５は、移送手段としての第１及び第２の縦搬送機構５６，５７により、上下方向に移動されるようになっている。第１及び第２の縦搬送機構５６，５７の下部側には第１或いは第２の集積部５４，５５から集積チケットＴを受け取ってその感熱面Ｔａ側を上向きにしたまま結束位置としての施封位置Ｓに移送する移送手段としての搬送キャリヤ５８が設けられている。
【００４７】
施封位置Ｓには移送されてくる集積チケットを施封する結束手段としての施封機構部６０が設けられ、この施封機構部６０の斜め上方部には結束材としての帯ｋを供給する帯供給部７０が設けられている。帯ｋには接着剤が塗布され、ヒートシールが可能になっている。
【００４８】
図４は、施封機構部６０及び帯供給部７０を示す構成図である。
【００４９】
施封機構部６０はクランパ２０を備え、このクランパ２０は上下のクランプ片２０ａ，２０ｂを有し、これらクランプ片２０ａ，２０ｂは互いに接離する方向に移動自在に設けられている。上部側のクランプ片２０ａには、加熱記録手段としてのサーマルヘッド２１が設けられている。サーマルヘッド２１は上部側のクランプ片２０ａが下方に移動することにより、その発熱面２１ａをチケットＴの感熱面Ｔａに接触させ、さらに、機構的に定着させることにより、管理情報を加熱記録し印字する。
【００５０】
また、下部側のクランプ片２０ｂの下方部にはヒートシール手段としてのヒータヘッド２５が設けられている。このヒータヘッド２５はチケットＴの非感熱面Ｔb側で、かつ、有効情報が記録されない他端部側に対向される。このヒータヘッド２５は昇降機構７１によって昇降され、チケットＴの非感熱面Ｔｂ側において重合される帯ｋの両端部に接離されるようになっている。
【００５１】
帯供給部７０は帯ｋを送り出すリール部２２と、このリール部２２から送り出される帯ｋの先端部を挟持して集積チケットＴの有効情報が記録されない他端部側の外周囲部に沿って移動する巻付手段としての挟持部２３とを有している。
【００５２】
次に、施封装置５２の施封動作について説明する。
【００５３】
上記したように集積チケットＴを受け取った搬送キャリヤ５８が施封位置Ｓに移動することにより図４に示すように上下のクランプ片２０ａ，２０ｂ間に集積チケットＴが導入される。この導入後、上下のクランプ片２０ａ，２０ｂが互いに近接する方向に移動することにより集積チケットＴが挟圧保持される。このとき、上部側のクランプ片２０ａのサーマルヘッド２１の発熱面２１ａが図６に示すチケットＴの感熱面ＴａのエリアＥに押し付けられ、このエリアＥに管理情報、例えば、日付、時刻、オペレータ番号、名前、該当チケット群が使用されたスロットマシンの番号、スロットマシンが所属するグループの番号や名称、連番等が印字される。
【００５４】
また、上下のクランプ片２０ａ，２０ｂによる集積チケットＴの挟圧保持後に、帯ｋの先端部を挟持する挟持部２３が集積チケットＴの有効情報が記録されていない部分の外周囲部に沿って移動される。これにより、帯ｋが図７に示すように集積チケットＴの有効情報のない部分の外周部に巻付けられ、その両端部が図５に示すように集積チケットＴの非感熱面Ｔｂ側で重ね合わされる。しかるのち、ヒータヘッド２５が上昇されて帯ｋの重合両端部を押し付けて加熱することにより帯ｋがヒートシールされて結束を終える。
【００５５】
上記したように、この実施の形態によれば、施封位置Ｓに移送された集積チケットＴの感熱面Ｔａにサーマルヘッド２１を押し当てて管理情報を印字するため、従来のように帯ｋに管理情報を印刷する場合と比較して印字面積を広くとることができ、大量の管理情報を印字することができる。
【００５６】
また、サーマルヘッド２１をクランプ片２０ａに取り付けるため、クランプ片２０ａの動作に基づいてサーマルヘッド２１をチケットＴの感熱面Ｔａに押し付けることができる。従って、サーマルヘッド２１を移動させるための駆動機構を特別に必要とせず、構成的に簡略化できる。
【００５７】
さらに、天地逆転機構４０を搭載するため、検査部３０が判定した正逆情報を基にパスを決定し、チケットを常に一定方向に集積することができる。従って、チケットＴの表面上の情報印字位置を一定させることができるとともに、束の中のチケットＴを調べていく際に、向きが揃っていることで調べやすいという利便性が得られる。
【００５８】
また、チケットＴの感熱面Ｔａに記載されたバーコード１６をバーコードリーダ１５で読み取ったのちは、チケットＴを全て表裏反転機構３４によって表裏を反転させてその非感熱面Ｔｂ側を下向きにして集積部５４，５５に集積するため、この集積部５４，５５に集積された集積チケットＴを施封位置に移送した際には、その非感熱面Ｔｂ側をヒータヘッド２５に対向させることができる。
【００５９】
従って、集積チケットＴの非感熱面Ｔｂ側で帯ｋの重合両端部をヒートシールすることができ、ヒータヘッド２５がチケットＴの感熱面Ｔａに直接接触することがなく、感熱面Ｔａを加熱により黒く汚してしまうことを極力防止できる。
【００６０】
ところで、集積チケットＴの非感熱面Ｔｂ側で帯ｋをヒートシールしても、帯ｋが有効情報が記録されている部分の外周部に巻き付けられた場合には、有効情報が加熱により黒く汚れてしまう恐れがある。
【００６１】
そこで、この実施の形態では、集積チケットＴの有効情報が記録されていない部分の外周部に沿って帯ｋを巻き付けている。これにより、集積チケットＴの有効情報が記録されている部分を避けて帯ｋをヒートシールすることができ、集積チケットＴの有効情報を加熱により黒く汚してしまうことがない。
【００６２】
また、紙幣は、流通により痛み易く、集積されると嵩高になり易い。このため、集積紙幣を結束する帯には大きな張力が作用する傾向がある。これに対し、チケットは繰り返し使用する頻度が低く、集積されても嵩高になりにくい。このため、チケットを結束する帯には大きな張力が作用しない傾向がある。従って、チケットの帯をヒートシールする場合の加熱温度は、紙幣の帯をヒートシールする場合の加熱温度より低くても良い。
【００６３】
そこで、この実施の形態では、ヒータヘッドの加熱温度をチケットの場合と紙幣の場合とで可変制御することができるようにしている。
【００６４】
図８はヒータヘッド２５の加熱温度の制御系を示すブロック図である。
【００６５】
ヒータヘッド２５には温度センサとしてのサーミスタ７２が取り付けられ、このサーミスタ７２には制御回路７３を介して電源供給回路７４のリレー７５に接続されている。制御回路７３には、第１及び第２の温度設定部７６，７７が接続されている。
【００６６】
ヒータヘッド２５の温度は、サーミスタ７２によって検出され、この検出された温度が第１或いは、第２の温度設定部７６，７７で設定された温度と比較される。そして、その比較値に応じてリレー７５が断続されて加熱電流がオン、オフされヒータヘッド２５の温度が制御される。
【００６７】
第１の温度設定部７６は、例えば、紙幣施封時におけるヒータヘッド２５の加熱温度を設定するもので、例えば、２００℃に設定する。第２の温度設定部７７は、例えば、チケット施封時におけるヒータヘッド２５の加熱温度を設定するもので、例えば、１６０℃に設定する。
【００６８】
また、ヒータヘッド２５は、図４に示すように昇降機構７１により昇降されて帯ｋの重合両端部に押し付けられるが、その押付時間、即ち、加熱時間はタイマー７９の設定によって制御される。
【００６９】
例えば、第１の温度設定部７６によって紙幣施封時におけるヒータヘッド２５の加熱温度が２００℃に設定された場合には、加熱時間は２秒に設定される。第２の温度設定部７７によってチケット施封時におけるヒータヘッド２５の加熱温度が１６０℃に設定された場合には、加熱時間は２秒、或いは４秒に設定される。
【００７０】
なお、第２の温度設定部７７によってチケット施封時におけるヒータヘッド２５の加熱温度が例えば、紙幣施封時と同じく、２００℃に設定された場合には、加熱時間は紙幣施封時の１／２の時間、即ち1秒、に設定される。
【００７１】
このように、チケット施封時におけるヒータヘッド２５の加熱温度、及び、加熱時間を制御することにより、帯ｋの重合両端部を不必要に加熱し過ぎることがなく、チケットＴの感熱面Ｔａ側の加熱による黒汚れを一層確実に防止することができる。
【００７２】
なお、本発明は、上記一実施の形態に限られることなく、その要旨の範囲内で種々変形実施可能なことは勿論である。
【図面の簡単な説明】
【００７３】
【図１】この発明の一実施の形態である紙葉類処理装置の内部構成を概略的に示す図。
【図２】同紙葉類処理装置で処理されるチケットを示す平面図。
【図３】同チケットの施封装置を示す斜視図。
【図４】同施封機構部の構成を示す図。
【図５】同施封機構部で集積チケットに掛け渡された帯の重合両端部をヒータヘッドで加熱する状態を示す図。
【図６】同集積チケットの感熱面における管理情報の印字エリアを示す斜視図。
【図７】同集積チケットの有効情報がない部分の外周部に沿って帯が掛け渡された状態を示す平面図。
【図８】同ヒータヘッドの温度制御回路を示す図。
【符号の説明】
【００７４】
Ｔａ…感熱面、Ｔｂ…非感熱面、Ｔ…チケット（紙葉類）、４…投入部（受入手段）、１０…取出ローラ（供給手段）、１２…搬送路（搬送手段）、１５…バーコードリーダ（読取手段）、１６…バーコード（情報）、１６ａ…数字（情報）、２０…クランパ、２１…サーマルヘッド（加熱記録手段）、２３…挟持部（巻付手段）、２５…ヒータヘッド（ヒートシール手段）、３４…表裏反転機構（取揃手段）、４０…天地逆転機構（取揃機構）、５４，５５…第１及び第２の集積部（集積手段）、ｋ…帯（結束材）、５６，５７…第１及び第２の縦搬送機構（移送手段）、Ｓ…施封位置（結束位置）、５８…搬送キャリヤ（移送手段）、６０…施封機構（結束手段）、７３…制御回路（制御手段）、７９…タイマー（制御手段）。
【図１】
2005301991.tif 000003
【図２】
2005301991.tif 000004
【図３】
2005301991.tif 000005
【図４】
2005301991.tif 000006
【図５】
2005301991.tif 000007
【図６】
2005301991.tif 000008
【図７】
2005301991.tif 000009
【図８】
2005301991.tif 000010